(57)【要約】【課題】室内機において冷媒ガスが漏れた場合に、その漏れた冷媒ガスが室内空間のある部分に局所的に滞留する。【解決手段】本発明の空気調和機は、吹出口を有する室内機を備え、可燃性冷媒が使用される空気調和機であって、室内機に配置される冷媒ガス検出センサと、冷媒ガス検出センサにより冷媒ガスが検出されたときに吹出口から風が吹き出されるように制御する制御部と、室内機が設置される部屋の広さおよび室内機の設置場所についての初期設定を入力するコントローラとを備える。制御部は、コントローラにより入力された初期設定に基づいて、冷媒ガス検出センサにより冷媒ガスが検出されたときの吹出口における風量および左右風向を制御する。【選択図】図１０
2016090112.tif 000002
【特許請求の範囲】
【請求項１】
吹出口を有する室内機を備え、可燃性冷媒が使用される空気調和機であって、
前記室内機に配置される冷媒ガス検出センサと、
前記冷媒ガス検出センサにより冷媒ガスが検出されたときに前記吹出口から風が吹き出されるように制御する制御手段と、
前記室内機が設置される部屋の広さおよび前記室内機の設置場所の少なくとも１つについての初期設定を入力するコントローラとを備え、
前記制御手段は、前記コントローラにより入力された初期設定に基づいて、前記冷媒ガス検出センサにより冷媒ガスが検出されたときの前記吹出口における風量および左右風向の少なくとも１つを制御することを特徴とする空気調和機。
【請求項２】
前記制御手段は、前記初期設定として入力された部屋の広さが広くなるにつれて、前記冷媒ガス検出センサにより冷媒ガスが検出されたときの前記吹出口における風量が多くなるように制御することを特徴とする請求項１に記載の空気調和機。
【請求項３】
前記制御手段は、前記初期設定として入力された室内機の設置場所に基づいて、前記冷媒ガス検出センサにより冷媒ガスが検出されたときの前記吹出口における左右風向が部屋の中央に向かうように制御することを特徴とする請求項１または２に記載の空気調和機。
【請求項４】
前記制御手段は、前記初期設定として入力された室内機の設置場所に基づいて、前記冷媒ガス検出センサにより冷媒ガスが検出されたときの前記吹出口における左右風向が部屋の壁に沿うように制御することを特徴とする請求項１または２に記載の空気調和機。
【発明の詳細な説明】
【技術分野】
【０００１】
本発明は、可燃性冷媒が使用される空気調和機に関する。
【０００２】
従来から、可燃性冷媒が使用される空気調和機において、空気調和機の室内機に冷媒ガス検出センサが取り付けられたものが知られている。
【先行技術文献】
【特許文献】
【０００３】
【特許文献１】特開２０１２−１３３４８号公報
【発明の概要】
【発明が解決しようとする課題】
【０００４】
従来の空気調和機の室内機において冷媒ガスが漏れた場合、その漏れた冷媒ガスが室内空間のある部分に局所的に滞留する問題がある。したがって、空気調和機には、室内機が運転されてない状態において、冷媒ガス検出センサにより冷媒ガスが検出されたときに、室内機の吹出口から風を吹き出すようにして、漏れた冷媒ガスが室内空間のある部分に局所的に滞留するのを抑制するものがある。しかし、従来の空気調和機では、室内機が設置される部屋の広さにかかわらず、冷媒ガス検出センサにより冷媒ガスが検出されたときの吹出口における風量が一定であるので、室内機が設置される部屋の広さが広い場合、室内機の吹出口から風を吹き出すようにしても、冷媒ガスが室内空間のある部分に局所的に滞留するのを十分に抑制できない問題がある。
【０００５】
そこで、本発明の目的は、室内機において冷媒ガスが漏れた場合に、その漏れた冷媒ガスが室内空間のある部分に局所的に滞留するのを十分に防止できる空気調和機を提供することである。
【課題を解決するための手段】
【０００６】
第１の発明にかかる空気調和機は、吹出口を有する室内機を備え、可燃性冷媒が使用される空気調和機であって、前記室内機に配置される冷媒ガス検出センサと、前記冷媒ガス検出センサにより冷媒ガスが検出されたときに前記吹出口から風が吹き出されるように制御する制御手段と、前記室内機が設置される部屋の広さおよび前記室内機の設置場所の少なくとも１つについての初期設定を入力するコントローラとを備え、前記制御手段は、前記コントローラにより入力された初期設定に基づいて、前記冷媒ガス検出センサにより冷媒ガスが検出されたときの前記吹出口における風量および左右風向の少なくとも１つを制御することを特徴とする。
【０００７】
この空気調和機では、室内機が設置された部屋の広さや室内機の設置場所についての初期設定に基づいて、冷媒ガス検出センサにより冷媒ガスが検出されたときの吹出口における風量や左右風向が制御されるので、例えば冷媒ガス検出センサにより冷媒ガスが検出されたときの吹出口における風量や左右風向が、室内機が設置された部屋の広さや室内機の設置場所が異なる場合でも変更されないときと比べて、室内機において冷媒ガスが漏れたときに、漏れた冷媒ガスが室内空間のある部分に局所的に滞留するのを十分に防止できる。
【０００８】
第２の発明にかかる空気調和機は、第１の発明にかかる空気調和機において、前記制御手段は、前記初期設定として入力された部屋の広さが広くなるにつれて、前記冷媒ガス検出センサにより冷媒ガスが検出されたときの前記吹出口における風量が多くなるように制御することを特徴とする。
【０００９】
この空気調和機では、室内機が設置された部屋の広さについての初期設定に基づいて、部屋の広さが広くなるにつれて、冷媒ガス検出センサにより冷媒ガスが検出されたときの吹出口における風量が多くなるように制御されるので、室内機において冷媒ガスが漏れたときに、漏れた冷媒ガスが室内空間のある部分に局所的に滞留するのを効果的に防止できる。
【００１０】
第３の発明にかかる空気調和機は、第１または第２の発明にかかる空気調和機において、前記制御手段は、前記初期設定として入力された室内機の設置場所に基づいて、前記冷媒ガス検出センサにより冷媒ガスが検出されたときの前記吹出口における左右風向が部屋の中央に向かうように制御することを特徴とする。
【００１１】
この空気調和機では、室内機の設置場所に基づいて、冷媒ガス検出センサにより冷媒ガスが検出されたときの吹出口における左右風向が部屋の中央に向かうように制御されるので、室内機において冷媒ガスが漏れたときに、漏れた冷媒ガスが室内空間に局所的に滞留するのを効果的に防止できる。
【００１２】
第４の発明にかかる空気調和機は、第１または第２の発明にかかる空気調和機において、前記制御手段は、前記初期設定として入力された室内機の設置場所に基づいて、前記冷媒ガス検出センサにより冷媒ガスが検出されたときの前記吹出口における左右風向が部屋の壁に沿うように制御することを特徴とする。
【００１３】
この空気調和機では、室内機の設置場所に基づいて、冷媒ガス検出センサにより冷媒ガスが検出されたときの吹出口における左右風向が部屋の壁に沿うように制御されるので、室内機において冷媒ガスが漏れたときに、室内空間における冷媒ガスの濃度を略均一にできる。
【００１４】
第５の発明にかかる空気調和機は、第１−第４のいずれかの発明にかかる空気調和機において、前記室内機は、床置き型の室内機であることを特徴とする。
【００１５】
この空気調和機は、漏れた冷媒ガスが室内空間の床付近に局所的に滞留するのを防止できる床置き型の室内機を有している。
【発明の効果】
【００１６】
以上の説明に述べたように、本発明によれば、以下の効果が得られる。
【００１７】
第１の発明では、室内機が設置された部屋の広さや室内機の設置場所についての初期設定に基づいて、冷媒ガス検出センサにより冷媒ガスが検出されたときの吹出口における風量や左右風向が制御されるので、例えば冷媒ガス検出センサにより冷媒ガスが検出されたときの吹出口における風量や左右風向が、室内機が設置された部屋の広さや室内機の設置場所が異なる場合でも変更されないときと比べて、室内機において冷媒ガスが漏れたときに、漏れた冷媒ガスが室内空間のある部分に局所的に滞留するのを十分に防止できる。
【００１８】
第２の発明では、室内機が設置された部屋の広さについての初期設定に基づいて、部屋の広さが広くなるにつれて、冷媒ガス検出センサにより冷媒ガスが検出されたときの吹出口における風量が多くなるように制御されるので、室内機において冷媒ガスが漏れたときに、漏れた冷媒ガスが室内空間のある部分に局所的に滞留するのを効果的に防止できる。
【００１９】
第３の発明では、室内機の設置場所に基づいて、冷媒ガス検出センサにより冷媒ガスが検出されたときの吹出口における左右風向が部屋の中央に向かうように制御されるので、室内機において冷媒ガスが漏れたときに、漏れた冷媒ガスが室内空間に局所的に滞留するのを効果的に防止できる。
【００２０】
第４の発明では、室内機の設置場所に基づいて、冷媒ガス検出センサにより冷媒ガスが検出されたときの吹出口における左右風向が部屋の壁に沿うように制御されるので、室内機において冷媒ガスが漏れたときに、室内空間における冷媒ガスの濃度を略均一にできる。
【００２１】
第５の発明では、漏れた冷媒ガスが室内空間の床付近に局所的に滞留するのを防止できる床置き型の室内機を有している。
【図面の簡単な説明】
【００２２】
【図１】本発明の実施の形態にかかる空気調和機の冷媒回路を示す回路図である。
【図２】図１に示す室内機の斜視図である。
【図３】室内機の正面図である。
【図４】図３に示すIV-IV線断面図である。
【図５】図３に示すV-V線断面図である。
【図６】室内機から前面パネルを取り外したときの斜視図である。
【図７】室内機の吹出口における左右方向についての風向を説明する図である。
【図８】室内機の制御ブロックを示す図である。
【図９】室内機の設置場所を説明する図である。
【図１０】初期設定と吹出口における風量および風向との対応を説明する図である。
【図１１】冷媒ガスの漏れが検出されたときの動作を説明する図である。
【図１２】本発明の変形例にかかる空気調和機についての初期設定と吹出口における風向との対応を説明する図である。
【発明を実施するための形態】
【００２３】
以下、図面を参照しつつ本発明に係る空気調和機の実施の形態について説明する。
【００２４】
［空気調和機の全体構成］
図１に示すように、本実施形態の空気調和機は、圧縮機１と、圧縮機１の吐出側が一端に接続された四路切換弁２と、四路切換弁２の他端に一端が接続された室外熱交換器３と、室外熱交換器３の他端に一端が接続された電動膨張弁４と、電動膨張弁４の他端に閉鎖弁１２、連絡配管Ｌ１を介して一端が接続された室内熱交換器５と、室内熱交換器５の他端に閉鎖弁１３、連絡配管Ｌ２、四路切換弁２を介して一端が接続され、他端が圧縮機１の吸入側に接続されたアキュムレータ６とを備えている。上記の圧縮機１、四路切換弁２、室外熱交換器３、電動膨張弁４、室内熱交換器５およびアキュムレータ６で冷媒回路が構成されている。
【００２５】
また、この空気調和機は、室外熱交換器３の近傍に配置された室外ファン７と、室内熱交換器５の近傍に配置された室内ファン８とを備えている。上記の圧縮機１、四路切換弁２、室外熱交換器３、電動膨張弁４、アキュムレータ６、及び室外ファン７は、室外機１０に配置され、室内熱交換器５、及び室内ファン８は、室内機２０に配置されている。
【００２６】
この空気調和機では、暖房運転時、四路切換弁２を実線の切換え位置に切り換えて、圧縮機１を起動すると、圧縮機１から吐出された高圧冷媒が四路切換弁２を通って室内熱交換器５に入る。そして、室内熱交換器５で凝縮した冷媒は、電動膨張弁４で減圧された後に室外熱交換器３に入る。室外熱交換器３で蒸発した冷媒が四路切換弁２およびアキュムレータ６を介して圧縮機１の吸入側に戻る。こうして、圧縮機１、室内熱交換器５、電動膨張弁４、室外熱交換器３およびアキュムレータ６で構成された冷媒回路を冷媒が循環して、冷凍サイクルを実行する。そして、室内ファン８により室内熱交換器５を介して室内空気を循環させることにより室内を暖房する。
【００２７】
これに対して、冷房運転時（除湿運転時を含む）は、四路切換弁２を点線の切換え位置に切り換えて、圧縮機１を起動すると、圧縮機１から吐出された高圧冷媒が四路切換弁２を通って室外熱交換器３に入る。そして、室外熱交換器３で凝縮した冷媒は、電動膨張弁４で減圧された後に室内熱交換器５に入る。室内熱交換器５で蒸発した冷媒が四路切換弁２およびアキュムレータ６を介して圧縮機１の吸入側に戻る。こうして、圧縮機１、室外熱交換器３、電動膨張弁４、室内熱交換器５およびアキュムレータ６の順に冷媒が循環する冷凍サイクルを実行する。そして、室内ファン８により室内熱交換器５を介して室内空気を循環させることにより室内を冷房する。
【００２８】
この空気調和機では、可燃性冷媒が使用される。本発明において「可燃性冷媒」とは、可燃性冷媒のほか微燃性冷媒を含む。この空気調和機では、微燃性冷媒であるＲ３２が用いられるが、例えばＲ２９０が用いられてもよい。また、この空気調和機では、空気よりも比重が大きい冷媒が使用される。
【００２９】
［室内機］
図２−図４に示すように、室内機２０は、床置き型の室内機であって、室内の壁面に後面側が取り付けられる略長方形状の底フレーム２１と、底フレーム２１の前面側に取り付けられ、前面に略長方形状の開口部２２ｃを有する前面グリル２２と、前面グリル２２の開口部２２ｃを覆うように取り付けられた前面パネル２３とを備えている。この底フレーム２１、前面グリル２２、及び前面パネル２３により、ケーシング２０ａが形成されている。
【００３０】
前面グリル２２の上部には、上側吹出口２２ａが設けられ、前面グリル２２の下部には、下側吹出口２２ｂが設けられている。上側吹出口２２ａに連通する上側吹き出し通路Ｐ１には、上下方向について上側吹出口２２ａから吹き出される空気流の風向を変更する上下フラップ２４と、左右方向について上側吹出口２２ａから吹き出される空気流の風向を変更する左右フラップ２５とが設けられている。上下フラップ２４には、フラップモータ２４ａ（図８参照）が接続されており、左右フラップ２５には、フラップモータ２５ａ（図８参照）が接続されている。上下フラップ２４は、フラップモータ２４ａの駆動により、水平方向に沿った回転軸の周りを回動可能である。この上下フラップ２４は、冷房運転および暖房運転時には、図４に示す上下風向制御範囲において回動して、上側吹出口２２ａから冷風または温風を前方かつ斜め上方に吹き出す。また、運転停止時は、図２に示すように、上側吹出口２２ａを閉じる。左右フラップ２５は、フラップモータ２５ａの駆動により、左右方向に搖動可能である。この左右フラップ２５は、冷房運転および暖房運転時には、図７（ａ）に示す左右風向制御範囲において搖動することにより、上側吹出口２２ａから冷風または温風を吹き出す方向を変えることができる。図７（ｂ）は、室内機２０の吹出口からの風向が、左吹き（正面視において左方向）である場合を示し、図７（ｃ）は、室内機２０の吹出口からの風向が、中央吹き（正面視において前方）である場合を示し、図７（ｄ）は、室内機２０の吹出口からの風向が、右吹き（正面視において右方向）である場合を示す。
【００３１】
一方、下側吹出口２２ｂに連通する下側吹き出し通路Ｐ２内には、下側吹出口２２ｂを開閉するシャッター３０と、左右方向について下側吹出口２２ｂから吹き出される空気流の風向を変更する左右フラップ３１が配置されている。シャッター３０には、シャッターモータ３０ｂが接続されている。シャッター３０は、シャッターモータ３０ｂの駆動により、図４に示すように、水平方向に沿った軸３０ａを中心に回動する。このシャッター３０は、一点鎖線で示すＡの位置で停止して、下側吹出口２２ｂを開き、一点鎖線で示すＢの位置で停止して、下側吹出口２２ｂを閉じる。なお、左右フラップ３１は、手動でフラップの向きが調整されるものである。
【００３２】
また、上記前面パネル２３の上側には、上側吸込口２３ａが設けられ、前面パネル２３の下側には、下側吸込口２３ｂが設けられ、さらに前面パネル２３の左右の側面には、側方吸込口２３ｃ（図２では右側のみを示す）が設けられている。
【００３３】
図４に示すように、底フレーム２１の略中央には、ファンモータ２６が固定されている。このファンモータ２６の軸が接続された室内ファン８が、軸が前後方向になるように底フレーム２１に配置されている。室内ファン８は、前面側から吸い込んだ空気を軸に対して半径方向外側に吹き出すターボファンである。また、底フレーム２１は、室内ファン８の前面側に形成されたベルマウス２７を有している。そして、ベルマウス２７の前面側に室内熱交換器５が配置され、その室内熱交換器５の前面側に前面グリル２２が取り付けられる。また、その前面グリル２２のさらに前面側に前面パネル２３が取り付けられる。前面グリル２２の開口部２２ｃには、フィルタが取り付けられている。
【００３４】
この空気調和機では、運転が開始されると、ファンモータ２６が駆動して、室内ファン８が回転する。そして、室内ファン８の回転によって、上側吸込口２３ａ、下側吸込口２３ｂ、及び側方吸込口２３ｃから室内機２０の内部に室内空気が吸い込まれて、室内機２０の内部に吸い込まれた室内空気は、室内熱交換器５で熱交換された後、上側吹出口２２ａおよび下側吹出口２２ｂからが室内に吹き出される。なお、シャッター３０が、下側吹出口２２ｂを閉じている場合には、室内機２０の内部に吸い込まれた室内空気は、上側吹出口２２ａのみから吹き出される。
【００３５】
図５、図６に示すように、室内熱交換器５の下方には、室内熱交換器５で生じた空気中からの凝縮水を受け取って排水するためのドレンパン２８が配置されている。また、室内熱交換器５の右外側（長手方向外側）、かつ上方には、電装品箱５０が配置されている。電装品箱５０の下方には、冷媒ガス検出センサ９が着脱可能に取り付けられている。この冷媒ガス検出センサ９は、室内熱交換器５及びドレンパン２８の右外側（長手方向外側）に配置される。
【００３６】
この空気調和機では、万一、室内熱交換器５内の冷媒配管が破損するなどして、冷媒ガスが漏洩した場合、空気より比重の大きい冷媒ガスは下方に流れて、ドレンパン２８に達する。ドレンパン２８に達した冷媒ガスは、ドレンパン２８の左端側から右端側に向かって流れるため、ドレンパン２８に達した冷媒ガスは、長手方向について冷媒ガス検出センサ９側において、ドレンパン２８から溢れやすい。溢れた冷媒ガスは、室内機２０の底に滞留し、室内機２０から外部に漏洩する。
【００３７】
（電装品箱）
電装品箱５０には、制御部５１が収納されており、空気調和機の冷暖房運転等に必要な各構成部品の制御を行う。この制御部５１には、図８に示すように、ファンモータ２６、冷媒ガス検出センサ９、フラップモータ２４ａ、フラップモータ２５ａ、シャッターモータ３０ｂ、コントローラ５２が接続されており、室内ファン８、上下フラップ２４、シャッター３０の制御を行ったり、冷媒ガス検出センサ９で検出された冷媒ガスの検出結果に基づいて、冷媒漏れの有無を判断したりする。コントローラ５３は、例えば、空気調和機の運転の開始操作・停止操作や、室内機２０を部屋に設置したときに、室内機２０が設置される部屋の広さおよび室内機２０の設置場所についての初期設定を行うものである。
【００３８】
（冷媒ガス検出センサ）
冷媒ガス検出センサ９は、漏洩した冷媒ガスを検出するセンサであり、図５に示すように、ドレンパン２８と同じ高さ又はドレンパン２８より下方に配置されている。また、ドレンパン２８の右外側（長手方向外側）かつドレンパン２８及び室内熱交換器５よりも奥（後方）に配置されている。
【００３９】
本実施形態の空気調和機では、室内機２０を部屋に設置したときに、コントローラ５２に対し、室内機２０が設置される部屋の広さおよび室内機２０の設置場所についての初期設定が行われる。室内機２０が設置される部屋の広さについては、部屋の広さが、６畳未満、６畳以上１２畳未満、１２畳以上のいずれかが設定される。室内機２０の設置場所については、図９に示すように、室内機２０の背面が近接する壁面に対し、右端設置（図９（ａ）：部屋の壁面の右端に設置）、中央設置（図９（ｂ）：部屋の壁面の中央に設置）、左端設置（図９（ｃ）部屋の壁面の左端に設置）のいずれかがこのように、室内機が設置される部屋の広さおよび室内機の設置場所についての初期設定が行われると、制御部５１は、初期設定に基づいて、冷媒ガス検出センサ９により冷媒ガスが検出されたときの上側吹出口２３ａにおける風量および左右風向と、下側吹出口２３ｂにおける風量を制御する。
【００４０】
上側吹出口２３ａにおける風量および下側吹出口２３ｂにおける風量は、図１０（ａ）に示すように、室内機が設置される部屋の広さが、６畳未満のときに風量ａ１であり、６畳以上１２畳未満のときに風量ａ２であり、１２畳以上のときに風量ａ３となるように制御される。風量ａ１＜風量ａ２＜風量ａ３であって、それぞれに対応するように、室内ファンの回転数が設定されている。したがって、冷媒ガス検出センサ９により冷媒ガスが検出されたときの上側吹出口２３ａおよび下側吹出口２３ｂにおける風量は、初期設定に含まれる部屋の広さが広くなるにつれて多くなるように制御される。
【００４１】
上側吹出口２３ａにおける左右風向は、図１０（ｂ）に示すように、室内機の設置場所が、右端設置であるときに左吹きであり、中央設置であるときに中央吹きであり、左端設置であるときに右吹きとなるように制御される。したがって、冷媒ガス検出センサ９により冷媒ガスが検出されたときの上側吹出口２３ａにおける左右風向は、部屋の略中央に向かうように制御される。
【００４２】
本実施形態の空気調和機において冷媒ガスの漏れが検出されたときの動作について、図１１に基づいて説明する。
【００４３】
まず、室内機を部屋に設置したときに、コントローラ５２に対し、室内機が設置される部屋の広さおよび室内機の設置場所についての初期設定が行われる（ステップＳ１）。すると、制御部５１では、初期設定に基づいて、上側吹出口２３ａおよび下側吹出口２３ｂにおける風量と、上側吹出口２３ａにおける左右風向が決定される（ステップＳ２）。その後、冷媒ガス検出センサ９で検出された冷媒ガスの検出結果に基づいて、冷媒漏れの有無が繰り返し判断される（ステップＳ３）。冷媒漏れが検出されたと判断されると（Ｓ３：ＹＥＳ）、冷媒ガス検出センサ９により冷媒ガスが検出されたときの上側吹出口２３ａおよび下側吹出口２３ｂにおける風量は、図９（ａ）に示すように、部屋の広さが広くなるにつれて多くなるように制御されるとともに、上側吹出口２３ａにおける左右風向は、図９（ｂ）に示すように、部屋の中央に向かうように制御される（ステップＳ４）。
【００４４】
［本実施形態の空気調和機の特徴］
本実施形態の空気調和機には、以下の特徴がある。
【００４５】
本実施形態の空気調和機では、室内機が設置された部屋の広さや室内機の設置場所についての初期設定に基づいて、冷媒ガス検出センサ９により冷媒ガスが検出されたときの上側吹出口２２ａと下側吹出口２２ｂにおける風量や、上側吹出口２２ａにおける左右風向が制御されるので、例えば冷媒ガス検出センサにより冷媒ガスが検出されたときの吹出口における風量や左右風向が、室内機が設置された部屋の広さや室内機の設置場所が異なる場合でも変更されないときと比べて、室内機において冷媒ガスが漏れたときに、漏れた冷媒ガスが室内空間のある部分に局所的に滞留するのを十分に防止できる。
【００４６】
本実施形態の空気調和機では、室内機が設置された部屋の広さについての初期設定に基づいて、部屋の広さが広くなるにつれて、冷媒ガス検出センサ９により冷媒ガスが検出されたときの上側吹出口２２ａと下側吹出口２２ｂにおける風量が多くなるように制御されるので、室内機において冷媒ガスが漏れたときに、漏れた冷媒ガスが室内空間のある部分に局所的に滞留するのを効果的に防止できる。
【００４７】
本実施形態の空気調和機では、室内機の設置場所に基づいて、冷媒ガス検出センサ９により冷媒ガスが検出されたときの上側吹出口２２ａにおける左右風向が部屋の中央に向かうように制御されるので、室内機において冷媒ガスが漏れたときに、漏れた冷媒ガスが室内空間に局所的に滞留するのを効果的に防止できる。
【００４８】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００４９】
上記実施形態では、２つの吹出口（上側吹出口および下側吹出口）を有する室内機を備える空気調和機であって、初期設定に基づいて、冷媒ガス検出センサ９により冷媒ガスが検出されたときの上側吹出口と下側吹出口における風量や、上側吹出口２２ａにおける左右風向が制御される場合を説明したが、室内機の吹出口の数は変更してよい。また、初期設定に基づいて、冷媒ガス検出センサにより冷媒ガスが検出されたときの上側吹出口における風量及び左右風向だけが制御されるものであってよいし、上側吹出口における風量及び左右風向のいずれかだけが制御されるものであってよい。また、初期設定に基づいて、冷媒ガス検出センサにより冷媒ガスが検出されたときの下側吹出口における風量だけでなく、下側吹出口における左右風向が制御されるものであってよい。
【００５０】
上記実施形態では、上側吹出口における左右風向が、図９（ｂ）に示すように、部屋の略中央に向かうように制御される場合を説明したが、図１２に示すように、部屋の壁に沿うように制御されるものであってよい。本変形例では、上側吹出口２３ａにおける左右風向は、室内機の設置場所が、右端設置であるときに右吹きであり、中央設置であるときに左右吹きであり、左端設置であるときに左吹きとなるように制御される。したがって、右端設置であるときに右吹きにすることにより、上側吹出口からの風は壁面の右端から垂直に延びる壁に沿うように吹き出され、中央設置であるときに左右吹きにすることにより、上側吹出口の左半分からの風は壁面の左端から垂直に延びる壁に沿うように吹き出されるとともに、上側吹出口の右半分からの風は壁面の右端から垂直に延びる壁に沿うように吹き出され、左端設置であるときに左吹きにすることにより、上側吹出口からの風は壁面の左端から垂直に延びる壁に沿うように吹き出される。よって、室内機において冷媒ガスが漏れたときに、室内空間における冷媒ガスの濃度を略均一にできる。
【００５１】
上記実施形態では、室内機が床置き型の室内機である場合を説明したが、室内機は床置き型以外の室内機であってよいし、壁掛けの室内機であってよい。
【産業上の利用可能性】
【００５２】
本発明を利用すれば、漏れた冷媒ガスが室内空間のある部分に局所的に滞留するのを防止できる。
【符号の説明】
【００５３】
９  冷媒ガス検出センサ
２０  室内機
２０ａ  ケーシング
２２ａ  上側吹出口（吹出口）
２２ｂ  下側吹出口（吹出口）
５１  制御部（制御手段）
５２  コントローラ
【図１】
2016090112.tif 000003
【図２】
2016090112.tif 000004
【図３】
2016090112.tif 000005
【図４】
2016090112.tif 000006
【図５】
2016090112.tif 000007
【図６】
2016090112.tif 000008
【図７】
2016090112.tif 000009
【図８】
2016090112.tif 000010
【図９】
2016090112.tif 000011
【図１０】
2016090112.tif 000012
【図１１】
2016090112.tif 000013
【図１２】
2016090112.tif 000014